(57)【要約】【課題】家庭だけでなくコンビニやハンバーガーショップ等のテイクアウト商品にも使用できる簡易型の保温性を考慮した電磁調理加熱容器を提供すること。【解決手段】上面が開口したトレー状容器（１０）であって、トレー状容器の側面（１１）は紙を主体とし、中間層にエンボス状の中芯が使用された断熱性を有する構造からなり、底面（１２）は電磁誘導により発熱する金属製の発熱体がラミネートされた樹脂製のフィルムと断熱構造の紙製シートが溶着された構造からなる。【選択図】図１
2007296037.tif 000002
【特許請求の範囲】
【請求項１】
上面が開口したトレー状容器であって、前記トレー状容器の側面は紙を主体とし、中間にエンボス状の中芯が使用された断熱性を有する構造からなり、底面は電磁誘導により発熱する金属製の発熱体がラミネートされた樹脂製のフィルムと断熱構造の紙製シートが溶着された構造からなることを特徴とする紙製電磁誘導加熱容器。
【請求項２】
前記側面は、〔容器内側〕耐熱性樹脂フィルム／アルミニウム箔／紙／エンボス紙／紙／耐熱性樹脂フィルム〔容器外側〕構成からなる複合フィルムからなり、
前記底面は、〔容器内側〕耐熱性樹脂フィルム／発熱体（金属箔）／紙／エンボス紙／紙／耐熱性樹脂フィルム〔容器外側〕構成からなる複合フィルムからなることを特徴とする請求項１記載の紙製電磁誘導加熱容器。
【請求項３】
前記側面と底面とは耐熱性樹脂の射出成形により溶着されていることを特徴とする請求項１又は２記載の紙製電磁誘導加熱容器。
【請求項４】
前記容器の形状は丸型であり、底面の平坦部が直径１２ｃｍ以上であり、底面の断熱紙には直径５ｍｍ以上の孔が開いており、その孔部は射出成形された耐熱性樹脂によって封止されていることを特徴とする請求項１〜３のいずれか１項に記載の紙製電磁誘導加熱容器。
【請求項５】
前記容器の底面内側には複数の耐熱性樹脂からなるリブが設けられているとを特徴とする請求項１〜４のいずれか１項に記載の紙製電磁誘導加熱容器。
【発明の詳細な説明】
【技術分野】
【０００１】
本発明は、紙を主体とする電磁誘導加熱容器に関するものであり、特には容易に加熱効果が発揮でき、また加熱後の保温性を有する紙製電磁誘導加熱容器に関する。
【背景技術】
【０００２】
近年、家電メーカーを中心に技術開発が進み、また高層ビルや高齢者社会に備え、ガスや電気コンロとは別の直接加熱しない電磁誘導加熱調理器（ＩＨ調理器）が増えている。それに伴い、様々な金属製の調理器具（ステンレス製が多いが、最近ではアルミニウム製の容器もある）が商品化されており、また、特許も多数出願されている（例えば、特許文献１、２参照）。
【０００３】
上記先行技術文献を示す。  
【特許文献１】特開平６−２１５８６２号公報。
【特許文献２】特開２０００−２７１０１０号公報。
【０００４】
一方簡易的なものとして、紙またはプラスチック樹脂製のカップやトレー状の容器に発熱体を組み合わせたものも数多く出願されている（例えば、特許文献３、４参照）。
【０００５】
上記先行技術文献を示す。  
【特許文献３】特開２００３−２８２４４号公報。
【特許文献４】特開２００３−３８３４５号公報。
【発明の開示】
【発明が解決しようとする課題】
【０００６】
それらの多くは通常の鍋やフライパンであり、家庭で繰り返し使用される器具であり、簡易型の容器にしても保温性や断熱性を考慮したものはない。
本発明は家庭だけではなく、コンビニやハンバーカーショップ等のテイクアウト商品にも使用できる簡易型の特に保温性を考慮した電磁調理加熱容器を提供しようとするものである。中身は液体が中心となるため容器の端部の処理を工夫しながら、容器の主要部は紙製であることを特徴とする。
【課題を解決するための手段】
【０００７】
本発明の請求項１の発明は、上面が開口したトレー状容器であって、前記トレー状容器の側面は紙を主体とし、中間にエンボス状の中芯が使用された断熱性を有する構造からなり、底面は電磁誘導により発熱する金属製の発熱体がラミネートされた樹脂製のフィルムと断熱構造の紙製シートが溶着された構造からなることを特徴とする紙製電磁誘導加熱容器である。
【０００８】
このように請求項１記載の発明によれば、上面が開口したトレー状容器であって、前記トレー状容器の側面は紙を主体とし、中間にエンボス状の中芯が使用された断熱性を有する構造からなり、底面は電磁誘導により発熱する金属製の発熱体がラミネートされた樹脂製のフィルムと断熱構造の紙製シートが溶着された構造からなるので、使用時、電磁誘導加熱により調理または温められた後でもしばらくは中身の温度が冷めにくい。
【０００９】
また、請求項２の発明は、請求項１の発明において、前記側面は、〔容器内側〕耐熱性樹脂フィルム／アルミニウム箔／紙／エンボス紙／紙／耐熱性樹脂フィルム〔容器外側〕構成からなる複合フィルムからなり、前記底面は、〔容器内側〕耐熱性樹脂フィルム／発熱体（金属箔）／紙／エンボス紙／紙／耐熱性樹脂フィルム〔容器外側〕構成からなる複合フィルムからなることを特徴とする紙製電磁誘導加熱容器である。
【００１０】
このように請求項２記載の発明によれば、側面が、〔容器内側〕耐熱性樹脂フィルム／アルミニウム箔／紙／エンボス紙／紙／耐熱性樹脂フィルム〔容器外側〕構成からなる複合フィルムからなり、前記底面が、〔容器内側〕耐熱性樹脂フィルム／発熱体（金属箔）／紙／エンボス紙／紙／耐熱性樹脂フィルム〔容器外側〕構成からなる複合フィルムからなるので、電磁誘導加熱により中身の温度が上昇しても耐熱性樹脂フィルムであるため、ある程度は耐えられる。また、発熱体より外側にエンボス紙を設けることにより保温効果がある。
【００１１】
また、請求項３の発明は、請求項１又は２の発明において、前記側面と底面とは耐熱性樹脂の射出成形により溶着されていることを特徴とする紙製電磁誘導加熱容器である。
【００１２】
このように請求項３記載の発明によれば、側面と底面とは耐熱性樹脂の射出成形により溶着されているので、内側の耐熱性樹脂フィルムと樹脂を熱融着させることにより中身の漏れを完全に防止することができる。
【００１３】
また、請求項４の発明は、請求項１、２又は３の発明において、前記容器の形状は丸型であり、底面の平坦部が直径１２ｃｍ以上であり、底面の断熱紙には直径５ｍｍ以上の孔が開いており、その孔部は射出成形された耐熱性樹脂によって封止されていることを特徴とする紙製電磁誘導加熱容器である。
【００１４】
このように請求項４記載の発明によれば、容器の形状は丸型であり、底面の平坦部が直径１２ｃｍ以上であり、底面の断熱紙には直径５ｍｍ以上の孔が開いており、その孔部は射出成形された耐熱性樹脂によって封止されているので、直径４ｍｍでは容器底部より射出成形時の樹脂のゲートを確保できること及び直径１２ｃｍの大きさはＩＨ調理器への適合性を有する。
【００１５】
また、請求項５の発明は、請求項１、２、３又は４の発明において、前記容器の底面内側には複数の耐熱性樹脂からなるリブが設けられていることを特徴とする紙製電磁誘導加熱容器である。
【００１６】
このように請求項５記載の発明によれば、容器の底面内側には複数の耐熱性樹脂からなるリブが設けられているので、容器が加熱されても容器の形状が変化しない。また、加熱された容器を手で容易に持つことができる。
【発明の効果】
【００１７】
このように本発明の紙製電磁誘導加熱容器を用いることにより、最近増えつつあるＩＨ（電磁誘導）加熱調理器用の簡易容器が提供できる。内側が熱伝導性の良いアルミニウム箔によりＩＨ加熱時の温度が周囲に伝わり易く、外には伝わり難い断熱構造のため、加熱調理する中身の温度が急激には下がらない。また、テイクアウト時や家庭で使用した場合も料理が冷めにくいというメリットがある。
【発明を実施するための最良の形態】
【００１８】
本発明を一実施形態に基づいて以下に詳細に説明する。
本発明の紙製電磁誘導加熱容器は、例えば、図１、図２に示すように、上面が開口したトレー状容器（１０）である。
【００１９】
トレー状容器の側面（１１）は紙を主体とし、中間にエンボス状の中芯が使用された断熱性を有する構造からなり、底面（１２）は電磁誘導加熱により発熱する金属製の発熱体がラミネートされた樹脂製のフィルムと断熱構造の紙製シートが溶着された構造からなることを特徴とする。
【００２０】
側面（１１）は、例えば、〔容器内側〕耐熱性樹脂フィルム（１１１）／アルミニウム箔（１１２）／紙（１１３）／エンボス紙（１１４）／紙（１１５）／耐熱性樹脂フィルム（１１６）〔容器外側〕構成からなる複合フィルム（１１０）からなることが望ましく、また、底面（１２）は、〔容器内側〕耐熱性樹脂フィルム（１２１）／発熱体（金属箔）（１２２）／紙（１２３）／エンボス紙（１２４）／紙（１２５）／耐熱性樹脂フィルム（１２６）〔容器外側〕構成からなる複合フィルム（１２０）からなることが望ましい。
【００２１】
その理由は、エンボス紙を使用することにより、断熱性と保温性を有する構造となる。
【００２２】
側面や底面に使用する耐熱性樹脂フィルム（１１１、１１６、１２１、１２６）としては、ポリプロピレン樹脂、ポリメチルペンテン樹脂（ＴＰＸ、三井石油化学株式会社製）等が好ましく使用できる。
【００２３】
エンボス紙（１１４、１２４）としては、波形に段成形された中芯紙や、表面に凸部又は凹部の突起状エンボスを多数設けた板紙等が好ましく使用できる。
【００２４】
アルミニウム箔（１１２）は７〜９μｍの厚さのものが好ましく、熱伝導と多少の酸素バリア性の役目を果たす。
【００２５】
底面に使用する発熱体（１２２）は、金属製箔であり、アルミニウム、鉄、ステンレス等電磁誘導加熱調理器による渦電流により発熱する物質であり、例えば、アルミニウム箔であれば１５〜３０μｍの厚さのものが好ましい。
【００２６】
また、側面（１１）と底面（１２）とは耐熱性樹脂層（１３）を介して溶着されている。耐熱性樹脂層は射出成形法により溶着させることができる。耐熱性樹脂により溶着しておくと、容器の耐熱性が向上し容器が加熱されても容器の形状が変化しない。
【００２７】
容器の形状は市販ＩＨ調理器の加熱コイルの形状及び中身の温度上昇時の対流のし易さ等の理由から丸型が好ましく、底面の平坦部は直径が１２ｃｍ以上あり、底面の断熱紙には直径５ｍｍ以上の孔（１４）が開いており、その孔は射出成形された耐熱性樹脂により封止されている。
【００２８】
また、容器の底面内面に複数の耐熱性樹脂からなるリブ（１５）を設けておくと良い。リブ（１５）を設けることにより容器が加熱されても容器の形状が変化せず、加熱された容器を手で容易に持つことができる。
【００２９】
つぎにこの容器の作製方法の一例を述べる。
先ず、所望の寸法に裁断された側面形成用の複合フィルム（１１０）をカップ成形機に取り付け、容器の胴部を成形する。その際開口部近傍の端縁を外側にカールさせて口縁部（１６）を形成しておく。
【００３０】
つぎに、成形した容器の胴部を射出成形機の射出成形金型の固定側（キャビティ側）に、また、所望の寸法に裁断した底面形成用の複合フィルム（１２０）を同金型の移動側（コア側）にあらかじめ装着しておく。移動側（コア側）の先端部には複数箇所のバキューム孔を設け、底部を固定させる（図５参照）。
【００３１】
金型を閉じた後、底部の直径５ｍｍの孔からポリプロピレン樹脂、あるいはポリメチルペンテン樹脂のような耐熱性樹脂を金型内に射出することにより、胴部と底部を溶着させる。底部の容器内側には図４、図６に示すような複数のランナー（樹脂の通過する部分）を設けることにより、底面の周囲まで容易に樹脂がまわり容器の隙間が完全に覆われるようになる。
【図面の簡単な説明】
【００３２】
【図１】本発明の紙製電磁誘導加熱容器の一実施例を示す、断面説明図である。
【図２】図１のＡ部拡大説明図である。
【図３】図１のＢ部拡大説明図である。
【図４】本発明の紙製電磁誘導加熱容器の一実施例を示す、平面説明図である。
【図５】容器の胴部と底部を射出成形金型に取り付けた状態を模式的に示す、断面説明図である。
【図６】図４のＣ−Ｃ’線断面説明図である。
【符号の説明】
【００３３】
１０‥‥トレー状容器
１１‥‥側面
１２‥‥底面
１３‥‥耐熱樹脂層
１４‥‥孔
１５‥‥リブ
１６‥‥口縁部
１１０‥‥複合フィルム
１１１‥‥耐熱性樹脂フィルム
１１２‥‥アルミニウム箔
１１３‥‥紙
１１４‥‥エンボス紙
１１５‥‥紙
１１６‥‥耐熱性樹脂フィルム
１２０‥‥複合フィルム
１２１‥‥耐熱性樹脂フィルム
１２２‥‥発熱体
１２３‥‥紙
１２４‥‥エンボス紙
１２５‥‥紙
１２６‥‥耐熱性樹脂フィルム
【図１】
2007296037.tif 000003
【図２】
2007296037.tif 000004
【図３】
2007296037.tif 000005
【図４】
2007296037.tif 000006
【図５】
2007296037.tif 000007
【図６】
2007296037.tif 000008